(57)【要約】【課題】防護マスクと防護衣とを併せて着用したときに防護マスクにおける透視レンズの周囲から防護衣が外れることを防止する。【解決手段】防護衣１において着用者の頭部と顔面とを含む首から上の身体部分を被覆する第１被覆部３に防護マスク２の透視レンズ２２を露出させるための開口部３６が形成される。開口部３６の周縁部分は、弾性的に伸長する第１環状部分４１と第１環状部分４１の外側にあって透視レンズ２２の枠部材２３を被覆可能な第２環状部分４２とを有する。第１環状部分４１は、防護マスク２において枠部材２３と面体２１との間に形成される溝３３へ弾性的に伸長した状態で挿入される。【選択図】図３
2008194093.tif 000002
【特許請求の範囲】
【請求項１】
透視レンズと吸排気可能な面体とが前記透視レンズの周縁に沿って延びる枠部材を介して一体になっており、前記枠部材と前記面体との間には、前記透視レンズの径方向外側に向かって開口するとともに前記周縁に沿って延びる溝が形成されている防護マスクとともに着用することが可能な防護衣であって、
前記防護マスクと前記防護衣とが前記防護衣の着用者と向かい合う内面と前記内面の反対面である外面とを有し、
前記防護衣が前記着用者の顔面と頭部とを含む首から上の身体部分を被覆する第１被覆部と、前記首から下の身体部分の少なくとも一部を被覆するとともに前記第１被覆部につながる第２被覆部とを有し、
前記第１被覆部には前記透視レンズを露出させることが可能な開口部が形成されており、前記開口部の周縁部分が、前記開口部の周方向へ弾性的に伸長させて前記溝へ挿入可能な第１環状部分と、前記第１環状部分の外側にあって前記枠部材を被覆可能であり前記枠部材を被覆したときには前記溝へ挿入した前記第１環状部分と協働して前記枠部材を挟んだ状態になる第２環状部分とによって形成されていることを特徴とする前記防護衣。
【請求項２】
前記第２環状部分の外面が前記第１被覆部のうちで前記頭部を被覆している部位の外面の図柄と同じ図柄を有している請求項１記載の防護衣。
【請求項３】
前記第２環状部分の外面が前記第１被覆部のうちで前記頭部を被覆している部位の外面を形成しているシート材料と同一の材料で形成されている請求項１または２記載の防護衣。
【請求項４】
前記第２環状部分の内面が前記第１環状部分を形成している材料によって裏打ちされている請求項１〜３のいずれかに記載の防護衣。
【請求項５】
前記第２環状部分の内側周縁には前記第２環状部分を一周する弾性部材が伸長状態で取り付けられていて前記内側周縁が前記弾性部材とともに伸長、収縮可能である請求項１〜４のいずれかに記載の防護衣。
【請求項６】
前記第１被覆部には、前記開口部を含んでいて前記顔面を被覆する部位と前記頭部を被覆する部位とを部分的に切り離して前記顔面を被覆する部位が前記顔面の前方へ展開可能となるようにするための繰り返し開閉可能なファスナ手段が設けられている請求項１〜５のいずれかに記載の防護衣。
【請求項７】
前記ファスナ手段が前記第２被覆部にまで延びている請求項６記載の防護衣。
【請求項８】
透視レンズと吸排気可能な面体とが前記透視レンズの周縁に沿って延びる枠部材を介して一体になっており、前記枠部材と前記面体との間には、前記透視レンズの径方向外側に向かって開口するとともに前記周縁に沿って延びる溝が形成されている防護マスクとともに着用することが可能な防護衣であって、
前記防護マスクと前記防護衣とが前記防護衣の着用者と向かい合う内面と前記内面の反対面である外面とを有し、
前記防護衣が、前記着用者の顔面と頭部とを含む首から上の身体部分を被覆する第１被覆部と、前記首から下の身体部分の少なくとも一部を被覆するとともに前記第１被覆部につながる第２被覆部とを有し、
前記第１被覆部には前記透視レンズを露出させることが可能な開口部が形成されており、前記開口部の周縁部分が、前記開口部の周方向へ弾性的に伸長させて前記溝へ挿入可能な環状部分を有し、
前記第１被覆部にはさらに、前記開口部を含んでいて前記顔面を被覆する部位と前記頭部を被覆する部位とを部分的に切り離して前記顔面を被覆する部位が前記顔面の前方へ展開可能となるようにするための繰り返し開閉可能なファスナ手段が設けられていることを特徴とする前記防護衣。
【請求項９】
前記ファスナ手段が前記第２被覆部にまで延びている請求項８記載の防護衣。
【発明の詳細な説明】
【技術分野】
【０００１】
この発明は、有毒ガス等を含む環境において防護マスクと共に着用するのに好適な防護衣に関する。
【背景技術】
【０００２】
従来、有毒ガスを含む環境で作業する場合に着用する防護マスクおよびその防護マスクと併せて着用する防護衣は公知ないし周知である。例えば、実開昭５４−１１５９７号公報（特許文献１）に開示の防毒フードは、この種の防護衣の一つであって、防護マスクに設けられた透視ガラス部と、頭部を被覆する防毒フードに設けられた透視部との間を密封することができる。防毒フードはゴム等の柔軟な材料で形成された透視部嵌め枠を有し、その嵌め枠が防護マスクにおける透視ガラス部の締め輪に対して緊密に嵌合する。
【特許文献１】実開昭５４−１１５９７号公報
【発明の開示】
【発明が解決しようとする課題】
【０００３】
前記公知の防毒フードの着用手順は、次のとおりである。まず作業者が防護マスクを着用する。作業者は、次に防毒フードをかぶり、続いて防護マスクにおける透視ガラス部の締め輪に対してその外側から透視部嵌め枠を嵌めて、締め輪と嵌め枠との間を密封する。最後に、防毒フードの襟を閉じる。
【０００４】
ところで、かような防毒フードは、柔軟材料で形成された嵌め枠の弾性的な収縮力を利用して嵌め枠を締め輪の外側に嵌めるだけであるから、着用している防毒フードが周囲の物に触れて引っ張られたときには、嵌めてあった嵌め枠が伸びて締め輪から外れるということがある。また、防毒フードに迷彩色を施す場合に、防毒フードの中でも織布で作られている部分は迷彩色を施すことが容易であるが、ゴムで作られている嵌め枠に対して織布と同じように迷彩色を施すことは技術的に経済的に必ずしも容易ではない。さらにはまた、作業者にとって、自分一人で防護マスクと防毒フードとを着用して、防毒フードの嵌め枠を防護マスクの締め輪に嵌めることが難しいという問題もある。
【０００５】
そこで、この発明が課題とするところの一つは、防護マスクと防護衣とを併せて着用した場合に、防護マスクにおける透視レンズの周囲から防護衣が外れなくなるように防護衣に改良を施すことにある。この発明が課題とするところの他の一つは、透視レンズの枠部材の外面を防護衣の外面と同じ図柄にすることが容易となるように防護衣に改良を施すことにある。この発明が課題とするところのさらに他の一つは、防護マスクの着用者が自分一人で防護衣も着用することができるように防護衣に改良を施すことにある。
【課題を解決するための手段】
【０００６】
前記課題解決のためのこの発明には、第１発明と第２発明とがある。これら両発明のうちの第１発明が対象とするのは、透視レンズと吸排気可能な面体とが前記透視レンズの周縁に沿って延びる枠部材を介して一体になっており、前記枠部材と前記面体との間には、前記透視レンズの径方向外側に向かって開口するとともに前記周縁に沿って延びる溝が形成されている防護マスクとともに着用することが可能な防護衣である。
【０００７】
かかる防護衣において、第１発明が特徴とするところは、次のとおりである。
前記防護マスクと前記防護衣とは、前記防護衣の着用者と向かい合う内面と前記内面の反対面である外面とを有する。前記防護衣は、前記着用者の顔面と頭部とを含む首から上の身体部分を被覆する第１被覆部と、前記首から下の身体部分の少なくとも一部を被覆するとともに前記第１被覆部につながる第２被覆部とを有する。前記第１被覆部には、前記透視レンズを露出させることが可能な開口部が形成されている。前記開口部の周縁部分は、前記開口部の周方向へ弾性的に伸長させて前記溝へ挿入可能な第１環状部分と、前記第１環状部分の外側にあって前記枠部材を被覆可能であり前記枠部材を被覆したときには前記溝へ挿入した前記第１環状部分と協働して前記枠部材を挟んだ状態になる第２環状部分とによって形成されている。
【０００８】
第１発明の好ましい実施態様の一つにおいて、前記第２環状部位の外面が前記第１被覆部のうちで前記頭部を被覆している部位の外面の図柄と同じ図柄を有している。
【０００９】
第１発明の好ましい実施態様の他の一つにおいて、前記第２環状部分の外面が前記第１被覆部のうちで前記頭部を被覆している部位の外面を形成しているシート材料と同一の材料で形成されている。
【００１０】
第１発明の好ましい実施態様の他の一つにおいて、前記第２環状部分の内面が前記第１環状部分を形成している材料によって裏打ちされている。
【００１１】
第１発明の好ましい実施態様の他の一つにおいて、前記第２環状部分の内側周縁には前記第２環状部分を一周する弾性部材が伸長状態で取り付けられていて前記内側周縁が前記弾性部材とともに伸長、収縮可能である。
【００１２】
第１発明の好ましい実施態様の他の一つにおいて、前記第１被覆部には、前記開口部を含んでいて前記顔面を被覆する部位と前記頭部を被覆する部位とを部分的に切り離して前記顔面を被覆する部位が前記顔面の前方へ展開可能となるようにするための繰り返し開閉可能なファスナ手段が設けられている。
【００１３】
第１発明の好ましい実施態様の他の一つにおいて、前記ファスナ手段が前記第２被覆部にまで延びている。
【００１４】
この発明のうちの前記第２発明が対象とするのは、透視レンズと吸排気可能な面体とが前記透視レンズの周縁に沿って延びる枠部材を介して一体になっており、前記枠部材と前記面体との間には、前記透視レンズの径方向外側に向かって開口するとともに前記周縁に沿って延びる溝が形成されている防護マスクとともに着用することが可能な防護衣である。
【００１５】
かかる第２発明が特徴とするところは、次のとおりである。前記防護マスクと前記防護衣とは、前記防護衣の着用者と向かい合う内面と前記内面の反対面である外面とを有する。前記防護衣は、前記着用者の顔面と頭部とを含む首から上の身体部分を被覆する第１被覆部と、前記首から下の身体部分の少なくとも一部を被覆するとともに前記第１被覆部につながる第２被覆部とを有する。前記第１被覆部には、前記透視レンズを露出させることが可能な開口部が形成されており、前記開口部の周縁部分が、前記開口部の周方向へ弾性的に伸長させて前記溝へ挿入可能な環状部分を有する。前記第１被覆部にはさらに、前記開口部を含んでいて前記顔面を被覆する部位と前記頭部を被覆する部位とを部分的に切り離して前記顔面を被覆する部位が前記顔面の前方へ展開可能となるようにするための繰り返し開閉可能なファスナ手段が設けられている。
【００１６】
第２発明の好ましい実施態様の一つにおいて、前記ファスナ手段が前記第２被覆部にまで延びている。
【発明の効果】
【００１７】
この発明のうちの第１発明に係る防護衣は、それを着用するときに、第１被覆部における第１環状部分を弾性的に伸長させて防護マスクにおける枠部材と面体との間の溝に挿入すると、着用者の作業中に第１被覆部が物に触れて一方向へ引っ張られたときに、第１環状部分ではその一部が溝に深く食い込むように作用するので、防護衣が透視レンズの枠部材から外れるという問題の発生を防ぐことができる。第２環状部分は、枠部材を被覆することによって、防護衣において枠部材が露出することを防ぐことができる。
【００１８】
防護衣の第２環状部分の外面が第１被覆部のうちで頭部を被覆している部位の外面と同じ図柄を有している態様の第１発明では、その第２環状部分が被覆している防護マスクの枠部材の外面に第１被覆部と同じ図柄、例えば迷彩色を施すことができる。
【００１９】
その第２環状部分の外面が第１被覆部のうちで頭部を被覆している部位の外面を形成しているシート材料と同一の材料で形成されている態様の第１発明では、第２環状部分を形成することが容易になる。
【００２０】
第２環状部分の内面が第１環状部分を形成している材料によって裏打ちしてある態様の第１発明では、第２環状部分の外面を柔軟な織布で形成した場合であっても、裏打ちしてある材料によって第２環状部分の剛性を高め、防護マスクの枠部材を被覆している第２環状部分が簡単にめくれてその枠部材が露出するという問題の発生を防ぐことができる。
【００２１】
第２環状部分にはその内側周縁に沿って弾性部材が伸長状態で取り付けられていて内側周縁が弾性部材とともに伸長、収縮可能な態様の第１発明では、その弾性部材が収縮しようとする作用によって、防護マスクの枠部材を被覆している第２環状部分がめくれ難くなる。
【００２２】
第１被覆部のうちで顔面を被覆している部位がファスナ手段を使用すると顔面の前方へ展開可能である態様の第１発明では、防護衣を着用した状態でその部位を展開すると、展開したその部位における第１環状部分に対して着用前の防護マスクを取り付けることができる。第１環状部分は、防護マスクの溝から簡単に外れるということがないから、防護衣の着用者は、その防護マスクを着用し、しかる後に防護衣のファスナ手段を閉じることによって、自分一人で防護マスクと防護衣とを着用することができ、しかもそれと同時に防護マスクの枠部材の外面を第２環状部分で被覆することもできる。
【００２３】
ファスナ手段が第２被覆部にまで延びている態様の第１発明では、防護衣に使用するファスナの数量を少なくして、いくつものファスナを使い分けるときの煩雑さを解消することができる。
【００２４】
第１被覆部のうちの顔面を被覆する部位がファスナ手段を使用すると顔面の前方へ展開可能である態様の第２発明では、防護衣を着用した状態でその部位を展開すると、展開したその部位における環状部分に対して着用前の防護マスクを取り付けることができる。環状部分は、防護マスクの溝から簡単に外れるということがないから、防護衣の着用者は、その防護マスクを着用し、しかる後に防護衣のファスナ手段を閉じることによって、自分一人で防護マスクと防護衣とを着用することができる。
【００２５】
ファスナ手段が第２被覆部にまで延びている態様の第２発明では、防護衣に使用するファスナの数量を少なくして、いくつものファスナを使い分けるときの煩雑さを解消することができる。
【発明を実施するための最良の形態】
【００２６】
添付の図面を参照してこの発明に係る防護衣の詳細を説明すると、以下のとおりである。
【００２７】
図１は、この発明に係る防護衣１の正面図であって、防護衣１は着用された状態にある。防護衣１はまた、後記の図２に記載の防護マスク２と併せて着用されるのに適したものであって、着用者（図示せず）の顔面と頭部を含む首からの上の部分を被覆する上方被覆部３と、上方被覆部３につながっていて首から下の身体の少なくとも一部分を被覆する下方被覆部４とを有し、図ではその下方被覆部４が着用者の下半身のほぼ全体を被覆するものとして示されている。ただし、図において、着用者は防護衣１と防護マスク２との他に、防護手袋６と、防護靴７とを着用している。これら防護衣１と防護手袋６と防護靴７とには、適宜の色を施すことができる。例えば着用者の存在をその周囲から際立たせるための図柄を施したり、それとは反対に周囲から目立たせないための迷彩色の図柄を施したりすることができる。なお、この発明において図柄を施すというときには、複数色を使って柄を画く場合の他に、全体を単色で着色する場合も含まれる。防護衣１における上方被覆部３のうちで顔面を被覆する部位８ａでは、防護マスク２における透視レンズ２２と、吸収缶取り付け部２６と、その取り付け部２６に取り付けてあって仮想線で示されている吸収缶２４とが露出した状態にあり、またその上方被覆部３のうちで頭部を被覆する部位８ｂには、その部位８ｂを開閉することのできる気密性のジップファスナ９が取り付けられている。下方被覆部４は、その内側に着用者の身体を入れることができるように、胸部と股下部との間に延びるファスナ手段（図示せず）を有する。
【００２８】
図２は、図１において防護衣１と併せて着用されている防護マスク２の部分斜視図である。防護マスク２は、ゴム等の柔軟弾性材料で形成された面体２１と、透明な硬質プラスチック等で形成された透視レンズ２２とを有する。面体２１は、その正面部分の中央に環状のレンズ枠部材２３を介して透視レンズ２２が気密状態で取り付けられており、正面部分の下方には仮想線で示す吸収缶２４を着脱することができる吸収缶取り付け部２６を有する。吸収缶２４は、外気中における有毒ガス等の有害成分を吸着して浄化した外気を着用者に供給するための慣用のもので、吸収缶取り付け部２６に形成されている吸気孔２７の内周面に対して螺合する。面体２１はまた、その周縁の近傍に防護マスク２を着用するための複数条のヘッドバンド２８を有し、このヘッドバンド２８を使用することによって面体２１の周縁全体を着用者の顔面に気密状態で密着させることができる。面体２１はさらに吸排気可能に作られていて、吸収缶取り付け部２６の内側に吸気用逆止弁（図示せず）を有し、吸収缶取り付け部２６の下方に排気用逆止弁（図示せず）を有する。防護マスク２の着用者が呼吸をすると、吸気は吸収缶２４に入ってろ過された後に吸気孔２７を通り、その後に吸気用逆止弁を開いて面体２１の内部に入ると着用者の鼻孔や口許に届く。呼気は、排気用逆止弁を開いて面体２１の外へ出る。図示例の透視レンズ２２は、フルフェイス型マスクにおいて典型的な一眼タイプのものである。
【００２９】
図３は、図１のＩＩＩ−ＩＩＩ線切断面を示す図であるが、防護マスク２の内部構造の図示は省略してある。図ではまた、防護衣１の着用者の図示も省略してある。防護マスク２は着用者と向かい合う内面２ａとその反対面である外面２ｂとを有し、面体２１の縁部３１と透視レンズ２２の縁部３２とがこれらを気密状態でクランプする枠部材２３を介して一体になっている。面体２１の外側では、面体２１と枠部材２３との間に、透視レンズ２２の縁部３２を一周するように延びていて透視レンズ２２の径方向外側に向かって開口する環状の溝３３が形成されている。防護衣１の上方被覆部３は、透視レンズ２２を露出させるための正面開口部３６を有しており、その正面開口部３６の周縁部分が第１内側環状部分４１とその外面側に位置する第１外側環状部分４２とによって形成されている。
【００３０】
上方被覆部３のうちでこれら両部分４１，４２と後記する第２内側環状部分５１と第２外側環状部分５２とを除いた部分である主要部４０は、防護衣として慣用のシート材料、例えば織布や織布に樹脂やゴム等をコーティングしたもの等によって形成されている。第１内側環状部分４１は、天然ゴムや合成ゴム等の弾性材料で形成されていて、正面開口部３６の周方向へ弾性的に伸長可能な挿入用縁部４１ａと、主要部４０の内面４０ａに縫合や溶着等の取り付け手段（図示せず）によって気密状態で固定されている固定用縁部４１ｂとを有する。図３において、その挿入用縁部４１ａは、それを一度弾性的に伸長させて第１内側環状部分４１の内径を大きくした状態で溝３３に挿入されている。挿入用縁部４１ａは、溝３３への挿入後に弾性的に収縮し、好ましくは図示の如く枠部材２３に密着する。また、第１外側環状部分４２は、主要部４０を形成しているシート材料を第１内側環状部分４１における固定用縁部４１ｂから正面開口部３６の内側へ延出させることによって作られていて、枠部材２３の外面を被覆している。かような第１外側環状部分４２は、溝３３に挿入されている第１内側環状部分４１と協働して枠部材２３を透視レンズ２２の内外面方向から挟んでいる。
【００３１】
吸収缶取り付け部２６は、防護マスク２の内面２ａから外面２ｂへ向かう方向において径が次第に小さくなるように形成されていて、円筒状を呈するその基端部分２６ａの外周面に防護衣１の上方被覆部３が図示のように密着している。即ち、上方被覆部３には、吸収缶取り付け部２６を上方被覆部３の外へ延出させるための下方開口部３８が形成されており、その下方開口部３８の周縁部分が、第２内側環状部分５１と第２外側環状部分５２とによって形成されている。第２内側環状部分５１は、ゴム等の弾性材料によって形成されていて、吸収缶取り付け部２６の基端部分２６ａの外周面に弾性的に伸長した状態で密着可能な自由縁部５１ａと、主要部４０のシート材料の内面４０ａに縫合等の取り付け手段（図示せず）によって気密状態で固定されている固定用縁部５１ｂとを有する。第２外側環状部分５２は、第２内側環状部分５１の外側にあって、固定用縁部５１ｂから自由縁部５１ａに並行して延びている。その第２外側環状部分５２は、主要部４０を形成しているシート材料を固定用縁部５１ｂから延出させることによって形成されている。第２内側環状部分５１の自由縁部５１ａと第２外側環状部分５２とは離間していて互いに動きを拘束することがない。その第２外側環状部分５２は、第２内側環状部分５１を被覆するのみならず、吸収缶取り付け部２６の前方部分をも被覆することができるように、図示の第２内側環状部分５１よりも前方（図の左方）へ長くすることができる。
【００３２】
かように形成されている防護衣１の上方被覆部３では、防護マスク２における透視レンズ２２の縁部を一周している枠部材２３と面体２１とによって形成されている溝３３に対して、正面開口部３６における第１内側環状部分４１の挿入用縁部４１ａが弾性的に伸長された状態で挿入されて、挿入後には溝３３の内面に密着する方向へ収縮して、第１内側環状部分４１が溝３３から外れ難くなる。そして、仮に着用者の作業中に上方被覆部３が周囲の物に触れて透視レンズ２２の径方向の一方へ引っ張られて、挿入用縁部４１ａの一部分が溝３３の外に向かって伸びた場合でも、その一部分の反対側では挿入用縁部４１ａが溝３３に深く進入するように作用するので、上方被覆部３は、防護マスク２の枠部材２３から簡単に外れることがない。上方被覆部３における第１外側環状部分４２は、枠部材２３の外面を被覆することができるものであるから、その第１外側環状部分４２の外面を主要部４０の部位８ａや８ｂにおける外面４０ｂの図柄と同じ図柄、例えば同じ迷彩色の図柄にすれば、枠部材２３の外面が上方被覆部３における全体的な外観と異なっていてその外面だけが目立ち易いということがなくなる。部位８ａや８ｂを含む主要部４０は通常であれば織布等のシート材料で形成されるので、迷彩色等の所要の図柄を施し易い。しかし、透視レンズ２２の枠部材２３を上方被覆部３のそのような図柄に合わせて用意するということは、技術的な理由からも経済的な理由からも容易なことではないから、第１外側環状部分４２を図示例の如くに形成することは有益である。しかも、図示例の第１外側環状部分４２を得るには、主要部４０を形成しているシート材料を固定用縁部４１ｂから延出させるだけでよいから、極めて容易である。なお、防護衣１において、主要部４０の内面４０ａと外面４０ｂとは、防護衣１の内面と外面と呼ぶことができる部位でもある。
【００３３】
なお、図示例において、防護マスク２の吸収缶取り付け部２６に対しては、円筒状の基端部分２６ａに第２内側環状部分５１が密着させてある。この吸収缶取り付け部２６は、枠部材２３に比べると一般的には面体２１の前方へ突出する長さがはるかに長いから、第２内側環状部分５１は吸収缶取り付け部２６に対して図示の如き態様にあっても、着用者の作業中に防護マスク２から外れるということは稀である。ただし、この発明において、吸収缶取り付け部２６の外周面に溝３３と同様な溝を設け、その溝に対して第２内側環状部分５１を弾性的に伸長させながら挿入することも可能である。
【００３４】
図４は、図３の一部分を拡大してこの発明の実施態様の一例を示す図である。図示例の防護衣１における上方被覆部３では、第１外側環状部分４２の内面４２ａが第１内側環状部分４１に形成されている縁部４１ｃによって裏打ちされている。この場合の第１外側環状部分４２は、図３に例示の第１外側環状部分４２に比べて剛性が高くなり、枠部材２３を被覆しているときに一部分がめくれてその枠部材２３が露出するということが少なくなる。
【００３５】
図５もまたこの発明の実施態様の一例を示す図４と同様な図である。図示例の第１外側環状部分４２は、主要部４０を形成しているシート材料の共布を主要部４０のうちの部位８ａに縫合することにより形成されている。この第１外側環状部分４２はまた、内側周縁にスリーブ４２ｃが形成されており、そのスリーブ４２ｃには弾性部材４２ｄが伸長状態で挿入されている。その弾性部材４２ｄの収縮は第１外側環状部分４２の内径を小さくするように作用するので、スリーブ４２ｃの内側周縁は、そこにギャザー（図示せず）が形成されていて、弾性部材４２ｄとともに伸長、収縮する。そのような第１外側環状部分４２は、枠部材２３を被覆しているときにめくれ難く、枠部材２３を簡単に露出させるということがない。
【００３６】
図６は、図１における防護衣１の後頭部側の部分図である。防護衣１は、上方被覆部３を横方向において二等分する正中線（図示せず）上にファスナ９（図１参照）を有するものであり、図６ではそのファスナ９が上方被覆部３の後頭部８ｃを経て首の近くにまで延びている。ファスナ９のスライダ９ａ（図１，７参照）を前頭部から後頭部８ｃに向かって走らせることによって、上方被覆部３のうちの頭部を被覆する部位８ｂを左右に切り開くことができる。ファスナ９には、水密性のものを使用したり、気密性かつ水密性のものを使用したりすることもできる。ファスナ９にはまた、ジップファスナ以外のタイプのものを使用することもできる。
【００３７】
図７は、図１の部分拡大図であって、ファスナ９を使って切り開いた部位８ｂとそれと一体の部位８ａとが仮想線で示されている。切り開いた上方被覆部３は、正面開口部３６と下方開口部３８とを含んでいて顔面を被覆している部位８ａを着用者の顔面の前方に展開することができる。それゆえ、防護衣１と防護マスク２とを着用しようとするときには、まず防護衣１を着てファスナ９を開き、防護衣１の部位８ａと８ｃとを仮想線の状態にする。次に、部位８ａに対して、その内側から防護マスク２の枠部材２３を正面開口部３６へ入れるようにして、枠部材２３と部位８ａにおける第１内側環状部分４１と第１外側環状部分４２とを図３の状態にセットする。また、防護マスク２の吸収缶取り付け部２６を下方開口部３８に入れるようにして吸収缶取り付け部２６と第２内側環状部分５１と第２外側環状部分５２とを図３の状態にする。このようにして防護衣１に対する取り付けの終わった防護マスク２を着用し、しかる後にファスナ９を閉じれば、防護衣１と防護マスク２との着用を終えることができる。即ち、この発明に係る防護衣１は、防護衣１と防護マスク２との着用を着用者一人で進めることができる。
【００３８】
図８は、実施態様の一例を示す図１と同様な図である。図８の防護衣１では、上方被覆部３のうちの部位８ａと８ｂとを部分的に切り離すことができるファスナ手段９が正面開口部３６を囲むようにほぼ円弧を画き、さらに下方被覆部４の胸部を開閉することができるように下方へ向かって直状に延びている。ファスナ手段９は、このように下方被覆部４において使用すべきファスナ手段を兼ねるものであってもよい。図８の防護衣１では、使用するファスナ手段の数量を極力少なくして、いくつものファスナ手段を使い分けなければならないときの煩雑さを解消することもできる。
【００３９】
図示例の防護衣１は、単眼の防護マスク２を対象にするものであったが、この発明は、複眼の防護マスクを対象とするもので実施することも可能である。また、防護衣１は、図示例の如く全身を１ピースで被覆するものの他に、上半身と下半身とを別々のピースで被覆するものであってもよい。
【産業上の利用可能性】
【００４０】
この発明によれば、着用した防護マスクの透視レンズ周辺から外れることのない防護衣の製造が可能になる。
【図面の簡単な説明】
【００４１】
【図１】防護衣の正面図。
【図２】防護マスクの部分斜視図。
【図３】図１のＩＩＩ−ＩＩＩ線切断面を示す図。
【図４】実施態様の一例を示す図３の部分図。
【図５】実施態様の他の一例を示す図４と同様な図。
【図６】防護衣の後頭部を示す図。
【図７】ファスナを開いて防護衣の一部分を展開した防護衣の部分図。
【図８】実施態様の一例を示す図１と同様な図。
【符号の説明】
【００４２】
１    防護衣
２    防護マスク
２ａ    内面
２ｂ    外面
３    第１被覆部（上方被覆部）
４    第２被覆部（下方被覆部）
８ａ    顔面を被覆する部位
８ｂ    頭部を被覆する部位
９    ファスナ
２２    透視レンズ
２３    枠部材
３３    溝
３６    開口部（正面開口部）
４０ａ    内面
４０ｂ    外面
４１    第１環状部分（第１内側環状部分）
４２    第２環状部分（第１外側環状部分）
４２ａ    内面
４２ｂ    外面
４２ｃ    内側周縁
４２ｄ    弾性部材
【図１】
2008194093.tif 000003
【図２】
2008194093.tif 000004
【図３】
2008194093.tif 000005
【図４】
2008194093.tif 000006
【図５】
2008194093.tif 000007
【図６】
2008194093.tif 000008
【図７】
2008194093.tif 000009
【図８】
2008194093.tif 000010